(57)【要約】【課題】簡単な操作で血圧と不整脈の有無とを同時に検出することができ、被検者の負担を軽減することができるようにする。【解決手段】被検者の上腕に巻き付けたカフ帯を空気圧にて所定に加圧した後、減圧する際に、歪みセンサ７にて被検者の被圧迫脈波を検出し、検出した被圧迫脈波からコロトコフ音を含む周波数成分を解析して、最高血圧、最低血圧を測定すると共に、被圧迫脈波の周期から不整脈の有無を検出する。そして最高血圧、最低血圧、不整脈の有無を携帯電話２１の表示部２１ｄに設けた最高血圧表示部２１ｆ、最低血圧表示部２１ｇ、不整脈警告部２１ｉに表示させる。【選択図】図１
2013233279.tif 000002
【特許請求の範囲】
【請求項１】
被験者の生体動脈が通る被検査部に装着されるカフと、
前記カフを加減圧する加減圧手段と、
前記カフと該カフが装着される前記被検者の被検査部との間に介装して被圧迫脈波を検出する被圧迫脈波検出手段と、
前記加減圧手段で前記カフを加圧した後減圧する際に、前記被圧迫脈波検出手段で検出する前記被圧迫脈波からコロトコフ音を抽出し、該コロトコフ音の発生時と消失時の血圧を測定する血圧測定手段と、
前記被圧迫脈波の周期を分析して不整脈を検出する不整脈検出手段とを備えることを特徴とする脈波解析装置。
【請求項２】
前記血圧測定手段は、前記被圧迫脈波検出手段で検出する前記被圧迫脈波からコロトコフ音を含む周波数成分を解析して該被圧迫脈波に対応するスペクトグラムを生成すると共に、コロトコフ音に特異的な周波数帯域のエネルギーの変化からコロトコフ音の発生と消失を検出することを特徴とする請求項１記載の脈波解析装置。
【請求項３】
前記被圧迫脈波検出手段は、歪みセンサ又は音響センサであることを特徴とする請求項１又は２に記載の脈波解析装置。
【請求項４】
表示部と、前記血圧測定手段と、前記不整脈検出手段とを備える携帯端末を有し、
前記加減圧手段からの圧力信号と、被圧迫脈波検出手段からの検出信号を前記携帯端末に送信し、
前記表示部に、前記被圧迫脈波検出手段で検出した被圧迫脈波、及び前記血圧測定手段で測定した血圧、及び不整脈検出手段で検出した不整脈の有無を表示させることを特徴とする請求項１〜３のいずれか１つに記載の脈波解析装置。
【請求項５】
前記被圧迫脈波検出手段で検出した被圧迫脈波データ、及び前記血圧測定手段で測定した血圧データ、及び不整脈検出手段で検出した不整脈データが、前記携帯端末を介して予め設定された所定の機関に転送されるように構成されていることを特徴とする請求項４記載の脈波解析装置。
【発明の詳細な説明】
【技術分野】
【０００１】
本発明は、コロトコフ音を含む周波数成分を解析して脈波を検出する脈波解析装置に関する。
【背景技術】
【０００２】
従来、被検者の脈波は血圧測定等に利用されている。脈波に基づいて血圧を測定する方法としては、上腕にカフを装着した後、カフに送給する空気により発生するカフ圧で血管を圧迫した後、カフ圧を漸減させる際に発生するコロトコフ音を聴診器やマイクロフォンで検出し、コロトコフ音の発生時の圧力を最高血圧、コロトコフ音の消滅時の圧力を最低血圧として測定する聴診法が知られている。
【０００３】
又、上述した聴診法と同様にカフ圧で動脈を圧迫した際に、動脈の拍動により生じるカフ内圧の振動現象を圧力センサで検出し、振幅が急増したときを最高血圧とし、振幅が急減したときを最低血圧として検出するオシロメトリ法も知られている。
【０００４】
しかし、聴診法やオリロメトリ法では、測定する医師や看護師の経験やくせ等の影響で、測定結果に個人差が生じやすく、血圧を正確に測定するには熟練が要求される。
【０００５】
この対策として、例えば特許文献１（特開２０１０−１７２９９号公報）には、被検者の上腕と上腕に装着したカフとの間に歪センサを挿入し、この歪センサにより被圧迫脈波を測定し、この被圧迫脈波に現れる突起の発生及び消失から最高血圧及び最低血圧を測定する技術が開示されている。
【先行技術文献】
【特許文献】
【０００６】
【特許文献１】特開２０１０−１７２９９号公報
【特許文献２】特開２０１１−１９７１９号公報
【特許文献３】特開２００７−２０９６１０号公報
【発明の概要】
【発明が解決しようとする課題】
【０００７】
ところで、血圧と不整脈とは密接な関係を有しており、高血圧が不整脈をおこす原因のひとつであることが知られている。又、不整脈は、加齢、ストレス、過労、睡眠不足、飲酒などが誘因となることも知られている。
【０００８】
そのため、患者の血圧を計る際には、心電図を使用して不整脈の症状を同時に検出する場合が多い。又、最近では例えば特許文献２（特開２０１１−１９７１９号公報）に開示されているような携帯型血圧計や、例えば特許文献３（特開２００７−２０９６１０号公報）に開示されているような携帯型心電計が普及しており、在宅で、血圧の測定や心電図から不整脈の有無を手軽に検出できるようになっている。
【０００９】
しかし、血圧測定と不整脈の検出を同時に行おうとした場合、血圧計と心電計とを別々に操作して検出しなければならず、操作が煩雑で、被検者に負担を強いることになる。
【００１０】
従って、本発明の目的は、簡単な操作で血圧と不整脈の有無とを同時に検出することができて、被検者の負担を軽減することができ、使い勝手のよい脈波解析装置を提供することにある。
【課題を解決するための手段】
【００１１】
上記目的を達成するため、本発明の第１は、被験者の生体動脈が通る被検査部に装着されるカフと、前記カフを加減圧する加減圧手段と、前記カフと該カフが装着される前記被検者の被検査部との間に介装して被圧迫脈波を検出する被圧迫脈波検出手段と、前記加減圧手段で前記カフを加圧した後減圧する際に、前記被圧迫脈波検出手段で検出する前記被圧迫脈波からコロトコフ音を抽出し、該コロトコフ音の発生時と消失時の血圧を測定する血圧測定手段と、前記被圧迫脈波の周期を分析して不整脈を検出する不整脈検出手段とを備える脈波解析装置を提供することにある。
【００１２】
上記発明では、カフ圧を減圧する際に、被検者から検出した被圧迫脈波に基づきコロトコフ音を含む周波数成分を解析して、血圧と不整脈とを同時に検出するようにしたので、被検者の負担が軽減されて、使い勝手がよい。
【００１３】
本発明の第２は、第１の発明において、前記血圧測定手段は、前記被圧迫脈波検出手段で検出する前記被圧迫脈波からコロトコフ音を含む周波数成分を解析して該被圧迫脈波に対応するスペクトグラムを生成すると共に、コロトコフ音に特異的な周波数帯域のエネルギーの変化からコロトコフ音の発生と消失を検出することを特徴とする。
【００１４】
上記発明では、被圧迫脈波からコロトコフ音を含む周波数成分を解析して、この被圧迫脈波に対応するスペクトグラムを生成すると共に、コロトコフ音に特異的な周波数帯域のエネルギーの変化からコロトコフ音の発生と消失を検出するようにしたので、コロトコフ音の発生と消失とを高い精度で検出することができる。
【００１５】
本発明の第３は、第１或いは第２の発明において、前記被圧迫脈波検出手段は、歪センサ又は音響センサであることを特徴とする。
【００１６】
上記発明では、被圧迫脈波を歪センサ又は音響センサで検出するようにしたので、被圧迫脈波からコロトコフ音を含む周波数成分を容易に抽出することができる。
【００１７】
本発明の第４は、第１〜第３の発明において、表示部と、前記血圧測定手段と、前記不整脈検出手段とを備える携帯端末を有し、前記加減圧手段からの圧力信号と、被圧迫脈波検出手段からの検出信号を前記携帯端末に送信し、前記表示部に、前記被圧迫脈波検出手段で検出した被圧迫脈波、及び前記血圧測定手段で測定した血圧、及び不整脈検出手段で検出した不整脈の有無を表示させることを特徴とする。
【００１８】
上記発明では、加減圧手段からの圧力信号と、被圧迫脈波検出手段からの検出信号を携帯端末に送信し、この携帯端末の表示部に、被圧迫脈波と血圧と不整脈の有無とを表示させるようにしたので、被検者は携帯端末に表示された血圧、不整脈の有無の情報を手軽に入手することができる。
【００１９】
本発明の第５は、第４発明において、前記被圧迫脈波検出手段で検出した被圧迫脈波データ、及び前記血圧測定手段で測定した血圧データ、及び不整脈検出手段で検出した不整脈データが、前記携帯端末を介して予め設定された所定の機関に転送されるように構成されていることを特徴とする。
【００２０】
上記発明では、上述した第４発明の携帯端末に入力された各データを予め設定された所定の機関に転送できるようにしたので、被検者は在宅で測定した自身の各データを、例えば診療所、病院等の外部機関に転送して、健康管理や病気の治療に関する、医師等の専門家による監視や指示を受けることができる。
【発明の効果】
【００２１】
本発明によれば、カフ圧を減圧する際に、被検者から検出した被圧迫脈波に基づきコロトコフ音を含む周波数成分を解析して、血圧と不整脈とを同時に検出するようにしたので、被検者の負担が軽減されて、使い勝手がよい。
【図面の簡単な説明】
【００２２】
【図１】第１実施形態による脈波解析装置の構成図である。
【図２】同、脈波解析装置のシステムブロック図である。
【図３】同、脈波解析の流れを示すフローチャートである。
【図４】同、コロトコフ音法による血圧の測定原理を示すタイムチャートである。
【図５】同、不整脈の検出原理を示すタイムチャートである。
【図６】同、他の態様による脈波解析装置の構成図である。
【図７】第２実施形態による脈波解析装置の構成図である。
【図８】同、脈波解析装置のシステムブロック図である。
【図９】同、解析結果を表示する画面の説明図である。
【発明を実施するための形態】
【００２３】
以下、図面に基づいて本発明の一実施形態を説明する。
［第１実施形態］
図１〜図６に本発明の第１実施形態を示す。図１に示すように、本実施形態による脈波解析装置は、カフユニット１と脈波検出ユニット２と携帯端末としての携帯電話２１とを備えている。
【００２４】
図２に示すように、カフユニット１は、生体動脈が通る被検査部である上腕に巻き付けて装着するカフの代表であるカフ帯６と、被圧迫脈波検出手段としての歪センサ７とを有している。カフ帯６は上腕を圧迫する空気袋を有し、この空気袋が後述する脈波検出ユニット２に設けられている加減圧手段８にエアーチューブ１０を介して連通されている。又、歪センサ７は、カフ帯６の内側に配設されており、カフ帯６を被検者の上腕に巻き付けることでカフ帯６と上腕との間に介装されて、被検者の上腕に圧接される。そして、カフ帯６の締め付けにより被検者の血管が圧迫されて発生する軋む振動等から被圧迫脈波（以下、単に「脈波」と称する）を検出し、この脈波を所定にＡ/Ｄ変換した後、後述する演算制御部３へ送信する。
【００２５】
又、脈波検出ユニット２は、演算制御部３と加減圧手段８と圧力センサ９とを備えている。加減圧手段８は加圧ポンプと排気弁とを有しており、加圧ポンプは、カフ帯６に設けられている空気袋に空気を送給して、この空気袋を膨出させる。又、排気弁は、演算制御部３からの駆動信号により、カフ帯６側へ送給される圧（以下、「カフ圧」と称する）を調整すると共に空気袋に供給された空気を排出させて空気袋を収縮させる。圧力センサ９はエアーチューブ１０に接続されており、エアーチューブ１０を介して空気袋に送給されるカフ圧を検出し、検出したカフ圧のデータを、所定にＡ/Ｄ変換した後、演算制御部３に送信する。
【００２６】
演算制御部３は、演算処理部３ａとＯＮ／ＯＦＦスイッチ等を備える入力部３ｂと、入出力インターフェース（Ｉ／Ｏ）３ｃとを備えている。尚、演算処理部３ａは、ＣＰＵ，ＲＯＭ，ＲＡＭ等を備えるマイクロコンピュータを主体に構成されている。
【００２７】
この入出力インターフェース３ｃが携帯電話２１に信号ケーブル２２を介して接続される。この携帯電話２１として、本実施形態は通常の通話機能に加えてＰＤＡ（Personal Digital Assistants）機能を有する多機能携帯電話（いわゆるスマートフォン）を採用している。
【００２８】
この携帯電話２１に、脈波表示送信プログラムが予めインストールされている。尚、この脈波表示送信プログラムは、アプリケーションソフトウエアであり、カフユニット１及び脈波検出ユニット２を購入した被検者が、携帯電話２１に対して、適宜、ダウンロードすることができる。
【００２９】
携帯電話２１は、脈波の表示及び送信を実現する機能として、演算処理部２１ａ，この演算処理部２１ａに対してデータの入出力を行う入出力インターフェース（Ｉ／Ｏ）２１ｂ、脈波検出ユニット２から送信されたデータの転送先を指定する操作等を行う入力部２１ｃ、脈波検出ユニット２から送信されたデータを表示する表示部２１ｄ、そのデータを入力部２１ｃの操作により指定した機関に、パケット通信を利用して転送するデータ送信部２１ｅ等が備えられている。
【００３０】
演算処理部２１ａは、ＣＰＵ，ＲＯＭ．ＲＡＭ等を有する周知のマイクロコンピュータを主体に構成されており、脈波検出ユニット２から送信されたデータを表示部２１ｄに所定に表示し、又、入力部２１ｃの操作にて転送先が指定された場合、当該データを、データ送信部２１ｅを介して指定された機関に転送する。
【００３１】
図１に、表示部２１ｄの表示例を示す。本実施形態では、表示部２１ｄに、最高血圧表示部２１ｆ、最低血圧表示部２１ｇ、脈波表示部２１ｈ、不整脈警告部２１ｉが表示される。
【００３２】
一方、上述した脈波検出ユニット２の演算制御部３に設けられている演算処理部３ａでは、圧力センサ９で検出したカフ圧に基づき加圧ポンプの動作を制御すると共に、排気バルブの開閉動作を制御する。更に、この演算処理部３ａは、歪センサ７で検出した脈波を解析して、最高血圧、最低血圧を算出すると共に、脈波の周期から不整脈の有無を調べる。
【００３３】
次に、上述した演算処理部３ａで実行される脈波解析の流れ，及び携帯電話２１の表示部２１ｄに対する表示態様について、図３に示すフローチャートに従って説明する。
【００３４】
被検者の脈波解析に際しては、先ず、脈波検出ユニット２に信号ケーブル２２を介して携帯電話２１を接続する。一方、被検者は、自身の上腕にカフ帯６を所定に巻き付ける。
【００３５】
次いで、脈波検出ユニット２をＯＮする。すると、演算処理部３ａに設けられているＣＰＵがＲＯＭ、ＨＤＤ（ハードディスクドライブ）及び／又はＳＤＤ（シリコンディスクドライブ）に記憶されている脈波解析プログラムを読込み、システムを初期化した後、図３に示す脈波解析処理ルーチンが起動される。
【００３６】
このルーチンでは、先ず、ステップＳ１で加圧工程が開始される。この加圧工程では、加減圧手段８に設けられている排気バルブを閉弁させると共に、加圧ポンプを作動させて、カフ帯６に内装されている空気袋に空気を送給し、この空気袋を膨出させる。その結果、被検者の上腕がカフ帯６で締め付けられ、相対的に空気袋の内圧が上昇する。演算処理部３ａでは、圧力センサ９で検出したカフ圧データに基づき、このカフ圧が最高血圧の測定に充分な所定圧に達するまで監視する。そして、カフ圧が最高血圧の測定に充分な所定圧に達したとき、加圧ポンプの作動を停止させる。
【００３７】
次いで、ステップＳ２，Ｓ３で脈波計測工程が実行される。ステップＳ２では、排気バルブを開弁させてカフ圧の減圧を開始する。次いで、ステップＳ３で、圧力センサ９で検出したカフ圧データと、歪センサ７で検出した被圧迫脈波データとを取り込む。排気バルブが開弁すると、空気袋内の空気圧が徐々に減圧され、圧力センサ９で検出するカフ圧は、図４に示すカフ圧波形Ｐ１のように、脈波を検出しながらほぼ直線状に減少する。
【００３８】
その後、ステップＳ４〜Ｓ１０で、周波数分析による血圧決定工程が実行される。尚、この工程での処理が本発明の血圧測定手段に対応している。
【００３９】
この工程では、図４に示すように、歪センサ７で検出した脈波の時系列データを、一定時間幅（短時間高速フーリエ変換すなわち短時間ＦＦＴを行う時間幅）を指定し、この時間幅より短い間隔で移動させながら、短時間ＦＦＴによる周波数分析を行う。そして、周波数分析した結果に基づき、脈波位置を検出する。
【００４０】
すなわち、先ず、歪センサ７で検出した脈波の時系列データから１脈波の中心位置を確定する。具体的には脈波の時系列データの＋のピーク位置が中心となるように１脈波内の各周波数特性を抽出する。
【００４１】
そして、ステップＳ５へ進み、抽出した１脈波内の各周波数特性から、コロトコフ音に対応する脈波の動脈きしみ波形を特定すべく、コロトコフ音に特異的な周波数帯域のエネルギーを各周波数特性それぞれから抽出する。具体的には、コロトコフ音に特異的な周波数帯域として、周波数分析結果の中で１０〜１００[Hz]（好適には、１７〜３０[Hz]）の帯域のエネルギーの合計ＲＭＳを次式から算出する。そして、このコルコトフ音に特異的な周波数帯域のエネルギーの合計ＲＭＳが各脈波内で一番大きいものをＫＳＧとして抽出する。
【００４２】
【数１】
2013233279.tif 000003
【００４３】
ここで、Ｘｉは各脈波の周波数分析結果から抽出したコロトコフ音を含む周波数帯域内の各周波数の音エネルギーレベル、ｎはＸｉの個数である。
【００４４】
次いで、ステップＳ６へ進み、上式で求めたＲＭＳに基づき、コロトコフ音の発生を検出したか否かを調べる。すなわち、各脈波のＲＭＳの変化を調べると、ＲＭＳの値が大きくなっている範囲でコロトコフ音が発生していることが実験から明らかになっている。そのため、当該ステップでは、ＲＭＳが大きく変化する最初の脈波が検出された場合、ステップＳ７へ進み、検出されなかった場合、ステップＳ８へ進む。尚、当該ステップでは、各脈波のＲＭＳの最大値から統計的に求めた所定レベルだけ低い値をしきい値として設定し、このしきい値を最初に超えるＲＭＳが検出されたとき、当該脈波をコロトコフ音発生の先頭として設定するようにしても良い。
【００４５】
ＲＭＳが大きく変化する最初の脈波が検出されたと判定されて、ステップＳ７へ進むと、最高血圧を決定する。すなわち、上述したステップＳ６で、ＲＭＳが大きく変化する最初の脈波が検出された場合、これがコロトコフ音発生の先頭となるため、当該脈波とその直前の脈波との中間が、コロトコフ音の最高血圧点Ｐ２となり、当該検出時刻の圧力センサ９で検出したカフ圧波形Ｐ１を最高血圧Ｐ４として決定し（図４参照）、ステップＳ８へ進む。
【００４６】
ステップＳ８へ進むと、コロトコフ音の発生後の消失を検出する。そして、コロトコフ音が発生前のときはステップＳ３へ戻り、コロトコフ音が発生後のとき、すなわちステップＳ７を一度通過した後は、上式で求めたＲＭＳに基づき、コロトコフ音の消失を検出したか否かを調べる。各脈波のＲＭＳの変化を調べると、上述とは逆に、ＲＭＳが急に小さくなっているポイントでコロトコフ音が消失していることが実験から明らかになっている。そのため、当該ステップでは、ＲＭＳが急激に減少した最初の脈波が検出された場合、消失と判定し、ステップＳ９へ進む。又、ＲＭＳが急激に減少した最初の脈波が検出されていない場合は、ステップＳ３へ戻り、新たなデータを取り込む。
【００４７】
そして、ステップＳ９へ進むと、最低血圧を決定する。すなわち、上述したステップＳ８で、ＲＭＳが大きく低下した最初の脈波が検出された場合、これがコロトコフ音発生の終端となるため、当該脈波とその直前の脈波との中間が最低血圧点Ｐ３（図４参照）となり、当該検出時刻の圧力センサ９で検出したカフ圧波形Ｐ１を最低血圧Ｐ５として決定し（図４参照）、ステップＳ１０へ進む。この場合、各脈波のＲＭＳの最大値から統計的に求めた一定レベル低い値をしきい値として設定し、このしきい値を最初に下回ったときの脈波をコロトコフ音の終端の脈波として設定するようにしても良い。
【００４８】
ステップＳ１０へ進むと、図５に示すように、最高血圧点Ｐ２から最低血圧点Ｐ３まで脈波の間隔から脈波周期Ｔおよび不整脈周期Ｔ１を算出する。すなわち、最高血圧点Ｐ２が検出されたときから最低血圧点Ｐ３が検出されるまでの脈波ピークの周期からほぼ規則的な脈波周期Ｔを算出し、この脈波周期Ｔに対して長い周期（或いは短い周期）が検出された場合、それを不整脈周期Ｔ１として特定する。尚、このステップでの処理が、本発明の不整脈検出手段に対応している。
【００４９】
又、この場合、必要に応じて、脈波周期Ｔの平均から単位時間当たりの脈拍数を算出するようにしても良い。或いは、脈拍数は、最高血圧点Ｐ２から最低血圧点Ｐ３までの各脈波の間隔を相乗平均して脈の間隔を求め、その時間から1分間の脈拍数を割り出すようにしてもよい。
【００５０】
そして、この血圧決定工程で求めた最高血圧データ、最低血圧データ、脈波データ、不整脈データを、携帯電話２１に送信する。
【００５１】
ステップＳ１１では、血圧・脈波表示工程が、携帯電話２１の演算処理部２１ａで実行される。
【００５２】
携帯電話２１の演算処理部２１ａでは、脈波検出ユニット２の演算制御部３から送信された各データを読込み、表示部２１ｄに表示さてルーチンを抜ける。
【００５３】
すると、図１に示すように、携帯電話２１の表示部２１ｄに設けられている、最高血圧表示部２１ｆ、最低血圧表示部２１ｇ、脈波表示部２１ｈに、最高血圧、最低血圧、脈波形が表示され、更に、不整脈が検出された場合は不整脈警告部２１ｉが赤色点灯或いは点滅する。尚、この場合、表示部２１ｄに脈拍数を同時に表示させるようにしても良い。
【００５４】
又、被検者が携帯電話２１に設けられている入力部２１ｃを操作すれば、被検者データ（最高血圧データ、最低血圧データ、脈波形データ、不整脈データ、必要により脈拍数データ）を、携帯電話２１に備えられているデータ送信部２１ｅを通じて、予め登録されている機関（例えば、かかりつけの医療機関）に転送される。
【００５５】
このように、本実施形態では、被検者の脈波から最高血圧と最低血圧とを検出するに際し、脈波の周期から不整脈の有無も併せて検出するようにしたので、被検者は一々血圧計と心電計とを個別に装着する必要が無く、使い勝手がよい。
【００５６】
又、この被検者データを携帯電話２１の表示部２１ｄに表示させるようにしたので、被検者は手軽に、血圧及び不整脈の有無を知ることができる。
【００５７】
更に、被検者データは携帯電話２１のデータ送信部２１ｅを通じて、予め登録されている機関に転送することができるため、被検者は所定の機関に一々出向く必要がなく、時間的な負担を軽減することができる。
【００５８】
又、図６に本実施形態の変形例を示す。上述した実施形態では、脈波検出ユニット２に演算制御部３を設け、この演算制御部３で求めた被検者データ（最高血圧データ、最低血圧データ、脈波形データ、不整脈データ、必要により脈拍数データ）を、携帯電話２１に送信し、この携帯電話２１の表示部２１ｄに表示させるようにしている。これに対し、本変形例では、上述した脈波検出ユニット２の演算制御部３で求める被検者データを、携帯電話２１の演算処理部２１ａで求めるようにしたものである。
【００５９】
被検者データを携帯電話２１側で求めるようにしたので、脈波検出ユニット２の演算制御部３が不要となり、当該ユニットの構成を簡素することができる。
［第２実施形態］
図７〜図９に本発明の第２実施形態を示す。上述した実施形態では、脈波検出ユニット２を携帯電話２１に接続し、脈波検出ユニット２で検出した被検者データを携帯電話２１の表示部２１ｄに表示させるようにしている。これに対し、本実施形態では、被検者データをパーソナルコンピュータ（以下、「パソコン」と称する）３１に表示させるようにしたものである。
【００６０】
パソコン３１として、本実施形態はノートパソコンを採用している。このパソコン３１は、キーボード等を備える入力部３１ｃと、液晶モニタ等の表示手段としての表示部３１ｄとを備えていると共に、内部に演算処理部３１ａが収納されている。尚、入力部３１ｃにはマウスも含まれる。演算処理部３１ａは、ＣＰＵ，ＲＯＭ，ＲＡＭ、ＨＤＤ（ハードディスクドライブ）、ＳＤＤ（シリコンディスクドライブ）等を有するマイクロコンピュータを主体に構成されており、ＲＯＭ、ＨＤＤ（ハードディスクドライブ）及び／又はＳＤＤ（シリコンディスクドライブ）に格納されているプログラムに従いＣＰＵにて演算処理が行われる。
【００６１】
この演算処理部３１ａに入出力インターフェース３１ｂを介して、歪センサ７、圧力センサ９で検出したデータが入力される。更に、この演算処理部３１ａが通信インターフェース３１ｅを介してインターネット４１に接続されている。
【００６２】
図９に表示部３１ｄの表示例を示す。この表示部３１ｄの下段には、最高血圧表示部３２、最低血圧表示部３３、脈拍数表示部３４等の各表示窓が設けられていると共に、不整脈警告部３５が設けられている。又、その上方に脈波波形表示部３６が設けられており、その上方にスペクトログラム表示部３７が設けられている。更に、表示部３１ｄの最上部にＫＳＧ表示部３８が設けられている。
【００６３】
スペクトログラム表示部３７は、縦軸に周波数、横軸に時間を表し、脈波の周波数成分を解析して、特定周波数の強さ（振幅）を明るさや色彩で階調表示させる（スペクトログラム描画）。これに基づき演算処理部３１ａで処理した結果がスペクトログラムＳｐとして表示される。又、脈波波形表示部３６には１脈波毎のコロトコフ音を検出するための周波数範囲のパワーレベル（ＫＳＧ）のパターン（ＫＳＧパターン）が表示される。
【００６４】
演算処理部３１ａには、上述した第１実施形態の図３に示すフローチャートを実行するプログラムが組み込まれており、当該プログラムを実行すると共に、スペクトログラム表示部３７に描画するスペクトログラムを生成する周波数分析表示工程を実行するプログラムが組み込まれている。
【００６５】
尚、本実施形態では、パソコン３１に予め設けられている演算処理部３１ａで脈波解析を行うようにしたため、上述した図６と同様、脈波検出ユニット２の演算制御部３が不要となり、当該ユニットの構成を簡素化することができる。
【００６６】
周波数分析表示工程では、歪センサ７で検出した被圧迫脈波の時系列データを、一定時間幅（短時間高速フーリエ変換すなわち短時間ＦＦＴを行う時間幅）を指定し、この時間幅より短い間隔で移動させながら、短時間ＦＦＴによる周波数分析を行う。そして、周波数分析した結果を、時系列に従って、表示部３１ｄのスペクトログラム表示部３７にスペクトログラム描画させる。図９に示すように、スペクトログラムＳｐは、スペクトログラム表示部３７に、縦軸を周波数、横軸を時間として、脈波に対応した周波数成分の時系列変化として描画される。
【００６７】
又、本実施形態においては、被圧迫脈波の時系列データの周波数成分の強さ（振幅）が、色彩で階調表示されており、最も弱い強度を紫、最も強い強度を白とし、強度が弱い方から強い方へ移行するに従い次第に、彩度が、例えば青、水色、桃色、橙、緑と低くなるように設定されている。因みに、図９に示すスペクトログラム表示部３７に描画されたスペクトログラムＳｐは、周波数が低く且つ脈の中心付近の強度が白色で最も高く表示され、逆に、周波数が高く且つ外側へ移行するに従い、紫色で最も低い強度が表示された模様（パターン）が形成されている。
【００６８】
又、上述した図３に示すフローチャートのステップＳ１１で表示させる最高血圧、最低血圧、脈波は、表示部３１ｄの最高血圧表示部３２、最低血圧表示部３３、脈波波形表示部３６に表示され、更に、脈拍数が脈拍数表示部３４に表示される。又、不整脈が検出された場合、不整脈警告部３５が赤色で点灯或いは点滅する。
【００６９】
更に、上述した被検者データ（最高血圧データ、最低血圧データ、脈波形データ、不整脈データ、脈拍数データ、及びスペクトログラムデータ等）は、通信インターフェース３１ｅからインターネット４１を介して、予め登録されている機関（例えば、かかりつけの医療機関）に転送することができる。
【００７０】
このように、本実施形態では、被検者データをパソコン３１の表示部３１ｄに表示させるようにし、更に、この被検者データをパソコン３１からインターネット４１を経て、予め登録されている機関に転送するようにしたので、使い勝手が良い。
【符号の説明】
【００７１】
Ｐ４…最高血圧
Ｐ５…最低血圧
Ｔ…脈波周期
Ｔ１…不整脈周期
２…脈波検出ユニット
３…演算制御部
７…歪センサ
９…圧力センサ
２１…携帯電話
２１ｄ…表示部
２１ｆ…最高血圧表示部
２１ｇ…最低血圧表示部
２１ｈ…脈波表示部
２１ｉ…不整脈警告部
３１ｄ…表示部
３２…最高血圧表示部
３３…最低血圧表示部
３４…脈拍数表示部
３５…不整脈警告部
３６…脈波波形表示部
【図１】
2013233279.tif 000004
【図２】
2013233279.tif 000005
【図３】
2013233279.tif 000006
【図４】
2013233279.tif 000007
【図５】
2013233279.tif 000008
【図６】
2013233279.tif 000009
【図７】
2013233279.tif 000010
【図８】
2013233279.tif 000011
【図９】
2013233279.tif 000012